(57)【特許請求の範囲】
【請求項１】
筒状の容器本体(２)内に形成した収容空間(３)の幅を、少なくともいずれかの直交２方向の寸法(５・６)が互いに異なる粒状物(４)の長い第１寸法(５)よりも大きく形成して、この粒状物(４)を短い第２寸法(６)の方向へ一列に整列収容可能に構成し、
上記収容空間(３)の少なくとも一方の端部に、上記第１寸法(５)よりも狭く且つ第２寸法(６)よりも広い幅を有する取出用収容部(７)を連通形成して、この取出用収容部(７)に上記粒状物(４)を上記収容空間(３)内での整列姿勢とは向きを異ならせて所定数量のみ収容可能に構成し、
上記取出用収容部(７)に取出口(10)を形成し、この取出口(10)からの粒状物(４)の取出し方向へスライド移動可能な開閉蓋(11)を、その取出口(10)を取り囲む状態に上記容器本体(２)へ外嵌して装着し、
この開閉蓋(11)内面の上記取出口(10)と対向する位置に栓部(31)を設けて、この開閉蓋(11)の上記スライド移動により上記栓部(31)で上記取出口(10)を開閉可能に構成し、
上記取出口(10)から取り出された粒状物(４)を上記開閉蓋(11)の内面で受け止め可能に構成するとともに、この開閉蓋(11)の栓部(31)以外の位置に粒状物取出窓(32)を形成したことを特徴とする、粒状物収納容器。
【請求項２】
上記収容空間(３)と取出用収容部(７)とを連通する連通部(８)に、収容空間(３)側に広がる傾斜状の内面(９)を形成した、請求項１に記載の粒状物収納容器。
【請求項３】
容器本体(２)内に収容空間(３)を形成して、複数個の粒状物(４)を収容可能に構成し、上記容器本体(２)に取出口(10)を形成してこの取出口(10)から上記粒状物(４)を所定の姿勢で取出し可能に構成し、この粒状物(４)の取出し方向へスライド移動可能な開閉蓋(11)を上記容器本体(２)に装着し、上記開閉蓋(11)内面の上記取出口(10)と対向する位置に栓部(31)を設けて、この開閉蓋(11)の封止姿勢時にはこの栓部(31)で上記取出口(10)を封止可能に構成し、上記開閉蓋(11)の開口姿勢時には上記取出口(10)から取り出された粒状物(４)をこの開閉蓋(11)内で上記栓部(31)と開閉蓋(11)の内面との間に収容可能に構成し、上記開閉蓋(11)の上記取出口(10)周縁部と対向する位置に粒状物取出窓(32)を形成して、開閉蓋(11)の封止姿勢への移動によりこの開閉蓋(11)内に収容された上記粒状物(４)を上記粒状物取出窓(32)から排出可能に構成し、上記粒状物取出窓(32)の周縁の少なくとも一部に弾性変形可能な押圧部(36)を設けて、上記粒状物取出窓(32)から排出される粒状物(４)をこの押圧部(36)で挟持可能に構成したことを特徴とする、粒状物収納容器。
【請求項４】
上記筒状の容器本体(２)を複数個並列状態に配置して、各容器本体(２)同士をそれぞれ分離可能に連結した、請求項１から請求項３のいずれか１項に記載の粒状物収納容器。
【発明の詳細な説明】
【０００１】
【発明の属する技術分野】
本発明は、錠剤・カプセル等の医薬品や食品などの粒状物を収容する容器に関し、更に詳しくは、簡単な構造でありながら粒状物の取出し操作が容易であり、一回の取出し操作で所定数量のみを確実に取出せる粒状物収納容器に関する。
【０００２】
【従来技術とその問題点】
従来、錠剤等の粒状物の包装容器としては、成型シートに形成された凹部に１錠ずつ収容し、この成型シートにシールシートを貼合わせて密封する、いわゆるプレススルーパック(以下、ＰＴＰという)がある。しかしこのＰＴＰの場合は、錠剤を取り出す際に１錠ごとにシールシートを破断しなければならず、錠剤の取出し操作が煩雑であるうえ、指先の細かな操作が必要であるため特に老人などにとって取出し操作が容易ではない。
【０００３】
一方、薬瓶など多数の粒状物を一度に収容する容器では、粒状物の取出口が比較的広く簡単に取り出せるものの、一回の取出し操作で必要以上に粒状物が取り出されるうえ、その取出し個数も取出し操作ごとに異なり、従って所定数量のみを確実に取り出すことはできない。
なお、この取出口を、例えば粒状物の外形よりもやや大きい程度に小さく形成して、粒状物が必要以上に出ないようにすることも考えられるが、この場合には粒状物が一回の取出し操作で確実に出てこない場合があり、取出し操作が煩雑となるうえ、取出口から必要以上の粒状物が連続して取り出される場合もあり、結局この場合も所定数量のみを取り出すことは容易ではない。
【０００４】
また、粒状物を１粒ずつ確実に取出せる容器として、例えば米国特許第４１７１７５３号公報に開示のものがある。
即ち、図１８に示すように、この粒状物収納容器(51)は外筒(52)と内筒(53)とからなり、外筒(52)内の底部にバネ(54)を収容し、内筒(53)内に一列に整列収容した粒状物(55)を上方へ押し上げるように構成してある。
上記外筒(52)の上端には蓋部(56)を螺着固定し、この蓋部(56)に開閉蓋(57)が揺動可能に設けてある。この開閉蓋(57)の端部には押出し片(58)が設けてあり、この開閉蓋(57)を開くことにより最上部に位置する上記粒状物(55)のみが開口部(59)から押出されるように構成してある。
【０００５】
しかしながら、この粒状物収納容器(51)は、二重構造の筒状容器内にバネを収容し、開閉蓋に押出し片を設けるなど、構造が複雑で安価に実施できない。しかもバネで粒状物を常に押圧していることから、１粒取出すごとに残りの粒状物に衝撃が加わって粒状物を損傷する虞れがあるうえ、誤って取出した粒状物は容器を分解しない限り容器内へ戻すことができない問題もある。
【０００６】
【発明が解決しようとする課題】
本発明は上記問題点を解消し、簡単な構造でありながら粒状物の取出し操作が容易であり、一回の取出し操作で所定数量のみを確実に取出せる粒状物収納容器を提供することを技術的課題とする。
【０００７】
【課題を解決するための手段】
本発明は上記課題を解決するために、例えば図１から図１７に基づいて説明すると、粒状物収納容器を次のように構成したものである。
即ち本発明１は、筒状の容器本体(２)内に形成した収容空間(３)の幅を、少なくともいずれかの直交２方向の寸法(５・６)が互いに異なる粒状物(４)の長い第１寸法(５)よりも大きく形成して、この粒状物(４)を短い第２寸法(６)の方向へ一列に整列収容可能に構成し、上記収容空間(３)の少なくとも一方の端部に、上記第１寸法(５)よりも狭く且つ第２寸法(６)よりも広い幅を有する取出用収容部(７)を連通形成して、この取出用収容部(７)に上記粒状物(４)を上記収容空間(３)内での整列姿勢とは向きを異ならせて所定数量のみ収容可能に構成し、上記取出用収容部(７)に取出口(10)を形成し、この取出口(10)からの粒状物(４)の取出し方向へスライド移動可能な開閉蓋(11)を、その取出口(10)を取り囲む状態に上記容器本体(２)へ外嵌して装着し、この開閉蓋(11)内面の上記取出口(10)と対向する位置に栓部(31)を設けて、この開閉蓋(11)の上記スライド移動により上記栓部(31)で上記取出口(10)を開閉可能に構成し、上記取出口(10)から取り出された粒状物(４)を上記開閉蓋(11)の内面で受け止め可能に構成するとともに、この開閉蓋(11)の栓部(31)以外の位置に粒状物取出窓(32)を形成したことを特徴とする。
【０００８】
また本発明２は、容器本体(２)内に収容空間(３)を形成して、複数個の粒状物(４)を収容可能に構成し、上記容器本体(２)に取出口(10)を形成してこの取出口(10)から上記粒状物(４)を所定の姿勢で取出し可能に構成し、この粒状物(４)の取出し方向へスライド移動可能な開閉蓋(11)を上記容器本体(２)に装着し、上記開閉蓋(11)内面の上記取出口(10)と対向する位置に栓部(31)を設けて、この開閉蓋(11)の封止姿勢時にはこの栓部(31)で上記取出口(10)を封止可能に構成し、上記開閉蓋(11)の開口姿勢時には上記取出口(10)から取り出された粒状物(４)をこの開閉蓋(11)内で上記栓部(31)と開閉蓋(11)の内面との間に収容可能に構成し、上記開閉蓋(11)の上記取出口(10)周縁部と対向する位置に粒状物取出窓(32)を形成して、開閉蓋(11)の封止姿勢への移動によりこの開閉蓋(11)内に収容された上記粒状物(４)を上記粒状物取出窓(32)から排出可能に構成し、上記粒状物取出窓(32)の周縁の少なくとも一部に弾性変形可能な押圧部(36)を設けて、上記粒状物取出窓(32)から排出される粒状物(４)をこの押圧部(36)で挟持可能に構成したことを特徴とする。
【０００９】
ここで上記粒状物とは、例えば球形のように直交方向の寸法が全て同一のものは含まないが、少なくともいずれかの直交２方向の寸法が互いに異なる一定の形状を有するものであればよく、従って、一般の糖衣錠などに用いられる偏平な錠剤形や、カプセル形、タブレット形、円柱形、ラグビーボール形、ドーナツ形など、あらゆる形状のものを対象とすることができ、特定形状に限定されない。
また、この粒状物の長い第１寸法と短い第２寸法とは、例えば錠剤形の場合は直径と厚さ、カプセル形の場合は長さと直径、ラグビーボール形の場合は長径と短径、等をいう。
【００１０】
【作用】
本発明１では、容器本体の収容空間内に整列収容された粒状物のうち、一端側の所定数量の粒状物が、例えば取出用収容部を下方に位置させる等により整列姿勢とは向きを変えてこの取出用収容部に流入して収容される。一方、残りの粒状物は取出用収容部に空きがなくなるので流入することができず、しかも、この取出用収容空間は粒状物の第１寸法よりも狭いことから、上記残りの粒状物はこの取出用収容部と上記収容空間との連通部に支持されて整列する。
なお、上記取出用収容部に形成した取出口は、開閉蓋をスライド移動させるだけで開閉され、通常、保管中などは開閉蓋を閉じることにより栓部で確実に密封されるが、上記操作により所定数量の粒状物が取出用収容部に収容される前、または収容された後に、この開閉蓋等を操作して開口される。
【００１１】
次に、開閉蓋を開いて、例えば容器本体の外面を軽く叩く等の操作により、上記取出用収容部内の粒状物が取出口から取出される。このとき、上記収容空間内の残りの粒状物は上記連通部に支持されて整列しているため、取出用収容部が空になってもこの取出用収容部に流入することができず、この結果、所定数量以上の粒状物が取出されることがない。
【００１２】
上記取出口からは所定数量のみの粒状物が取出されるが、取出口から取り出されて直進する粒状物が栓部で一旦受け止められて粒状物の過剰な飛出しが防止されたのち、粒状物取出窓から取り出される。このとき、上記取出口から取り出された粒状物は上記スライド移動可能な開閉蓋の内面で一旦受け止められるので、取出し操作時に誤って落下してしまう虞れがなく、粒状物取出窓から安全に取出される。
【００１３】
上記取出用収容部は複数の粒状物を収容可能に構成すると一回の取出し操作でこの複数ずつ、例えば２粒ずつ粒状物を取出すことができる。しかしながら、この取出用収容部に粒状物を１粒のみ収容可能に構成すると、取出し操作を繰り返すことにより任意の必要個数を取出すことができ、取出し時の個数管理をより確実に且つ簡単に行なうことができる。
【００１４】
上記粒状物は、その形状や表面の滑らかさ等により上記収容空間から取出用収容部への入り易さが異なる。即ち、粒状物の形状が丸く表面が滑らかなほど取出用収容部へ円滑に入り易く、従ってこの場合には上記収容空間と取出用収容部との連通部を段状に(粒状物の整列方向とは直角に)形成することも可能である。
しかしながらこの連通部に、収容空間側に広がる傾斜状の内面を形成した場合には、角張った粒状物や表面の粗い粒状物であっても、取出し操作時に所定量の粒状物がこの内面に案内されて円滑に向きを変え、取出用収容部に入り込んで収容される。
【００１５】
ただし、上記内面の傾斜角度は、粒状物の整列方向に対して小さ過ぎると粒状物の取出し時に空になった取出用収容部へ入り易くなり、１回の取出し操作で必要以上の粒状物が取出される虞れがある。従ってこの傾斜角度は、粒状物の形状や滑らかさ等により異なるが、好ましくは１５度以上、より好ましくは３０度〜４５度に設定される。
【００１６】
本発明２では、粒状物を収容した容器本体の取出口は封止姿勢の開閉蓋の栓部により密封されており、この開閉蓋をスライド移動させることにより取出口が開口して粒状物が取り出される。この取出口から取り出された粒状物は、一旦開閉蓋内で上記栓部と開閉蓋内面との間に収容され、開閉蓋を封止姿勢へ移動することにより取出口の周縁部に押されて粒状物取出窓から排出される。このとき、粒状物の大部分が粒状物取出窓から外部に出てくるが、開閉蓋の厚みに相当する部分は粒状物取出窓の周縁に設けた押圧部で挟持されており、この結果粒状物が不用意に落下することがない。
【００１７】
なお、上記押圧部は、粒状物取出窓の周縁にゴム弾性部材を配置して構成することもできるが、粒状物取出窓の周縁の一部を切欠くことにより構成すると簡単に設けることができ、より好ましい。
【００１８】
上記本発明１や本発明２において、粒状物収納容器は単独で使用してもよいが容器本体を複数個並列状態に配置して、各容器本体同士をそれぞれ分離可能に連結して用いてもよい。この場合には、複数の容器本体を一纏めにして分離することにより、１容器本体内の収容量を単位として多量の粒状物が容易に計数管理される。
【００１９】
上記各容器本体同士をそれぞれ分離可能に連結する構成とは、保管中や搬送中等の取り扱い時には連結状態を維持でき、投薬時など所要数の粒状物のみが必要な場合には必要個数の容器本体を一纏めにして指先などで簡単に分離できる構成をいい、例えば、容器本体に連結部を一体形成し、この連結部を介して複数の容器本体同士を切離し可能に連結する構成や、並列状態に配置した複数の容器本体に亘って連接用ラベルを貼着し、この連接用ラベルを各容器本体の互いに対向する側面に沿って破断可能にする構成、あるいは、各容器本体の互いに対向する側面同士を、指先などの力で比較的簡単に剥離できる接着剤により接着する構成などをいう。
【００２０】
【実施の形態】
以下、本発明の実施の形態を図面に基づき説明する。
図１は本発明１に先立って検討した第１参考形態を示し、取出し操作時の粒状物収納容器の一部破断斜視図である。
【００２１】
図１に示すように、この粒状物収納容器(１)は断面が略正方形の筒状容器本体(２)内に角柱状の収容空間(３)が形成してあり、この収容空間(３)に多数の錠剤(４…)を一列に整列して収容してある。
上記錠剤(４)は、直交２方向の寸法(５・６)が互いに異なり、即ち直径(５)よりも厚さ(６)が短かい。上記収容空間(３)の幅は、各辺がこの錠剤の直径(５)よりもやや大きく、上記錠剤(４)は厚さ(６)方向に整列して収容される。
なお、上記容器本体(２)は任意の材料を用いて成形できるが、透明材料で構成すると錠剤(４)の収容数量を外部から容易に確認できる利点がある。また、この第１参考形態では収容空間(３)を角柱状に形成したが、この収容空間は円柱状に形成してもよく、さらに容器本体を円筒状など他の形状に形成してもよいことはいうまでもない。
【００２２】
上記収容空間(３)の一方の端部には、取出用収容部(７)が連通部(８)を介して連通形成してある。上記取出用収容部(７)の幅は、上記錠剤(４)の直径(５)よりも狭く且つ厚さ(６)よりもやや広く設定してあり、上記錠剤(４)を、収容空間(３)内での整列姿勢とは９０度向きを変えて１粒のみ収容できるように構成してある。
従って、この取出用収容部(７)に１粒の錠剤(４)が収容されると、残りの錠剤(４…)は取出用収容部(７)に入ることができず、連通部(８)に支持されて整列する。
【００２３】
図１に示すように、上記連通部(８)は、図１における上下一対の内面(９)が収容空間(３)側に広がる傾斜状に形成してあり、その傾斜角度は上記錠剤(４)の整列方向に対し約４５度に設定してある。このため、取出用収容部(７)を上方位置から下げて下方に位置させると、収容空間(３)内の端部に位置する錠剤(４)が上記傾斜状の内面(９)に案内されて円滑に向きを変え、取出用収容部(７)に入り込んで収容される。
【００２４】
上記取出用収容部(７)の前面には取出口(10)が形成してあり、容器本体(２)の外面に揺動可能に付設した開閉蓋(11)の栓部(31)でこの取出口(10)を密封できるように構成してあり、保管中等は収容空間(３)内に外部の湿気などが入らないようにしてある。
【００２５】
上記容器本体(２)の他方の端部には一括入出口(12)が形成してあり、緩衝材(13)を備えた底蓋(14)で密封してある。
この一括入出口(12)は、多量の錠剤(４)を上記収容空間(３)へ投入する場合や全ての錠剤(４)を一気に取出す場合に、速やかに行うための入出口であり、上記底蓋(14)に代えて気密性シートをピールタイプの接着材で熱溶着する等により密封することも可能である。
なお、上記緩衝材(13)は収容された錠剤(４)が損傷せぬように上下移動を緩衝するものであり、底蓋(14)とは別体の弾力性を有する材料で構成してもよく、また、容器本体(２)の一方の端部側に形成してもよい。
【００２６】
次に、上記粒状物収納容器(１)から１粒ずつ錠剤(４)を取出す操作について説明する。
まず、粒状物収納容器(１)を立てた状態から取出用収容部(７)がやや下方位置となる状態に横向け、次いで図１に示すように開閉蓋(11)を開いて取出口(10)を開口する。これにより、収容空間(３)内の錠剤(４)は、１粒のみが取出用収容部(７)に流入して収容され、残りの錠剤(４…)は連通部(８)に支持されて収容空間(３)内で整列する。
次に、容器本体(２)の外面を軽く叩き、その衝撃で上記取出用収容部(７)内の錠剤(４)が取出口(10)から取出される。このとき、上記収容空間(３)内の残りの錠剤(４…)は上記連通部(８)に支持されて整列しているため、取出用収容部(７)が空になってもこの取出用収容部(７)に流入せず、従って取出口(10)から出て来ない。
【００２７】
続いて錠剤(４)を取出す場合は、取出用収容部(７)をやや持ち上げて錠剤(４)を収容空間(３)内の他端側に整列させたのち、再度、取出用収容部(７)がやや下方位置となる状態に横向けて図１に示す状態にし、上記取出し操作が繰り返される。
なお、誤って必要以上の錠剤(４)を取出してしまった場合には、上記粒状物収納容器(１)を立てた状態にして取出口(10)から１粒ずつ投入することにより、錠剤(４)を簡単に戻すことができる。
【００２８】
上記第１参考形態では連通部(８)に傾斜状の内面(９)を形成したが、この連通部は階段状に形成してもよい。即ち、図２に示す変形例では、収容空間(３)と取出用収容部(７)との連通部(８)を、錠剤(４…)の整列方向とは直角に形成してある。
この粒状物収納容器(１)に収容される錠剤(４)は形状に丸みがあり表面が滑らかであるため、上記連通部(８)が階段状であっても、取出し操作時に１粒の錠剤(４)が取出用収容部(７)内へ円滑に案内される。
【００２９】
なお、上記第１参考形態では、開閉蓋(11)を容器本体(２)の上端部に揺動可能に形成したが、この開閉蓋は取出口を開閉できる構造であれば、容器本体の側縁に沿って設けたり、取出口の下側に設けたりしたものであってもよく、或いはスライド式の開閉蓋にすることも可能である。
【００３０】
図３から図５は第２参考形態を示し、図３は１０本の粒状物収納容器を互いに連結した状態の斜視図、図４は粒状物収納容器の縦断側面図、図５は図４のＡ−Ａ線矢視断面図である。
【００３１】
図３に示すように、この粒状物収納容器(１)は断面が略正方形の容器本体(２)を１０本、その左右側面が互いに対向する状態に並列配置してなり、全ての粒状物収納容器(１)の全幅に亘って、各容器本体(２)の前面下部から下面および後面の上部にかけて連接用ラベル(15)を貼着してあり、この連接用ラベル(15)を介して各容器本体(２)が互いに連結されている。
【００３２】
上記連接用ラベル(15)には、容器本体(２)の左右側面に沿って破断可能なミシン目(16)が形成してあり、一方、各容器本体(２)は角部が図５に示すようにそれぞれ面取りしてあるので、このミシン目(16)に沿って指先などで押圧するだけで連接用ラベル(15)が破断され、各容器本体(２)が個別に分離される。
【００３３】
上記容器本体(２)の内部には、図４及び図５に示すように、断面が円形の収容空間(３)が形成してあり、この収容空間(３)の上端に取出用収容部(７)が、傾斜状内面(９)を有する連通部(８)を介して連通形成してある。
この取出用収容部(７)の前面には取出口(10)が開口してあり、この取出口(10)を開閉蓋(11)の栓部(31)で密封するとともに、この開閉蓋(11)の外面を覆う状態にシールテープ(17)を貼着して容器本体(２)の前面に固定してある。なお、このシールテープ(17)にも上記連接用ラベル(15)と同様のミシン目(18)が容器本体(２)の左右側面に沿って設けてある。
【００３４】
上記栓部(31)には粒状物押さえ(19)が突設してあり、開閉蓋(11)で蓋した状態ではこの粒状物押さえ(19)で錠剤(４)の上方への移動を制限するようにしてある。また、この開閉蓋(11)の上端と容器本体(２)の上端との間には、図４に示すように凹溝(20)が形成してあり、上記シールテープ(17)はこの凹溝(20)に沿って破断可能に構成されている。そして、このシールテープ(17)を破断したのち開閉蓋(11)の上端を手前に引くと、図４の仮想線に示すように、開閉蓋(11)がその下端位置を中心に揺動して取出口(10)が開口する。
【００３５】
上記粒状物収納容器(１)から錠剤(４)を１粒ずつ取出す操作は、開閉蓋(11)を操作して取出口(10)を開口したのち、前記第１参考形態と同様に行われる。
ただし、この第２参考形態では、図４に示すように、取出用収容部(７)の上部のうち取出口(10)とは反対側の内面が凹曲部(7a)に形成してあり、取出し操作時に錠剤(４)を取出口(10)へ円滑に案内して取り出せるように構成してある。
またこの第２参考形態では、複数の容器本体(２…)を互いに分離可能に連結してあるので、多量の錠剤(４)を一括して取り扱うことも容易にできる。
【００３６】
例えば病院で錠剤を処方する場合など、包装容器から大量の粒状物を一度に取り出す必要がある場合、前記従来のＰＴＰにあっては各粒状物が個別に包装されているため、個々の包装から１個ずつ取出して集めなければならず、取出し操作が極めて繁雑である。
これに対し、本発明の上記第２参考形態では、容器本体(２)の前・後面部分の下端縁に沿って、それぞれ底蓋開封用ミシン目(21)が上記連接用ラベル(15)に形成してあるので、上記容器本体(２)が複数連結された状態でこの底蓋開封用ミシン目(21)を破断し、連接用ラベル(15)の下面部分を取り去るとともに底蓋(14)を全て取り除くと、粒状物収納容器(１)に収容された大量の錠剤(４)を、あたかも瓶に収容してあるかのごとく一度に取り出すことができる。
【００３７】
また、この第２参考形態では、多量の錠剤(４)を支給する場合に錠剤の計数管理が容易である利点がある。
例えば１回２錠×１日３回×７日分で合計４２錠の錠剤を患者に支給する場合には、それぞれ１０粒の錠剤(４)が収容された容器本体(２)を４本連結したものと、例えばこの容器本体と同じ構造の小分け容器に２粒の錠剤を収容したものとが併せて支給される。
さらにこの場合、各容器本体へ収容できる錠剤数を投薬する錠剤に応じて設定しておくと端数の錠剤が発生せず、投薬時などの計数管理を容易にすることができる。例えば上記の４２錠を支給する場合では、収容数を６錠に設定しておくと７本の容器本体を分離するだけでよく、また１日の服用量も１本単位となって患者等による取り扱いも容易となる。
【００３８】
なお、上記容器本体は必ずしも隣り合う容器本体と当接させて並列配置する必要はなく、各容器本体間に一定の間隔をおいて連結してもよい。しかしながら、隣り合う容器本体同士を互いに当接させて連結した場合には、複数個の容器本体を一層コンパクトに纏めて保管など取り扱うことができる。
【００３９】
上記連接用ラベル(15)は複数の容器本体(２…)同士を互いに連結できるものであればよく、容器本体の１面または２面以上のいずれの部分に貼着してもよい。また、この第２参考形態では上記連接用ラベル(15)とは別のシールテープ(17)を用いたが、この連接用ラベルとシールテープとを１枚に構成することも可能である。
【００４０】
図６は第３参考形態を示す、粒状物収納容器の取出口近傍の縦断側面図である。
この参考形態では、開閉蓋(11)が容器本体(２)の前面に設けた係合部(26)を中心に回動可能に構成してあり、開閉蓋(11)の下方に位置決め片(27)を延設してある。この位置決め片(27)の延設方向は、この位置決め片(27)が容器本体(２)の前面に接当する状態では上記開閉蓋(11)が図６に示す半開状態となる方向に設定してある。そして、この開閉蓋(11)の栓部(31)に突設した粒状物押さえ(19)は飛出し防止部材(25)を構成しており、取出口(10)から飛出そうとする錠剤(４)はこの飛出し防止部材(25)に一旦受け止められる。
【００４１】
容器本体(２)の収容空間(３)内に収容された錠剤(４)を取出すには、上記開閉蓋(11)の上部を手前側に引いたり上記位置決め片(27)を押圧して開閉蓋(11)を開き、取出口(10)を開口する。このとき開閉蓋(11)は、上記位置決め片(27)が容器本体(２)の前面に接当する位置で半開状態に仮止めされる。この状態で上記第１参考形態と同様に操作して錠剤(４)を取出そうとすると、錠剤(４)は１個のみが連通部(８)の傾斜状の内面(９)に案内されて取出用収容部(７)に流入し、他の錠剤(４)は上記連通部(８)の内面(９)に支持される。そして上記取出用収容部(７)に流入した錠剤(４)は、容器本体(２)の外面を叩く等の操作により取出口(10)から飛び出そうとするが、上記開閉蓋(11)が半開状態であるので、錠剤(４)は飛出し防止部材(25)を構成する上記粒状物押さえ(19)に受け止められ、取出口(10)から勢いよく飛出してしまうことがない。このため、錠剤(４)を取り出そうとして受け止め損ねたり、錠剤(４)を誤って床に落としてしまう等の虞れがない。そして次に、この状態から開閉蓋(11)を図６の仮想線に示す位置まで開くことにより錠剤(４)が取出口(10)から安全にかつ確実に取り出される。
【００４２】
図７及び図８は第４参考形態を示し、図７は粒状物収納容器の上部の一部破断斜視図、図８は取出口近傍の縦断側面図である。
この第４参考形態では、開閉蓋(11)の上端に飛出し防止部材(25)がヒンジ(28)を介して連設してあり、容器本体(２)の上面後部に突設した係止ピン(29)にこの飛出し防止部材(25)の先端を係脱可能に係止してある。
【００４３】
容器本体(２)内に収容された錠剤を取出すには、上記飛出し防止部材(25)を係止ピン(29)から離脱させ、この飛出し防止部材(25)の先端を容器本体(２)上面の前部に形成した係止部(30)に係止して、図８に示すように、開閉蓋(11)先端と容器本体(２)との間に飛出し防止部材(25)を架設する。
この状態で上記第１参考形態と同様に操作して錠剤(４)を取出そうとすると、収容空間(３)内の錠剤(４)は１個のみが連通部(８)の傾斜状の内面(９)に案内されて取出用収容部(７)に流入し、取出口(10)から出てくる。このとき、この取出口(10)に臨ませて上記飛出し防止部材(25)が配置されているので、上記錠剤(４)は、図８に示すように、この飛出し防止部材(25)と開閉蓋(11)内面とに一旦受け止められ、勢いよく飛出してしまうことがない。そしてこの状態から錠剤(４)は横方向へ安全にかつ確実に取り出される。
【００４４】
図９は第５参考形態を示す、粒状物収納容器の取出用収容部近傍の縦断面図である。
【００４５】
この第５参考形態では、容器本体(２)の上端に一括入出口(12)が設けてあり、この一括入出口(12)を蓋部(22)で密封し、この蓋部(22)内に取出用収容部(７)を形成するとともにこの取出用収容部(７)の側方に取出口(10)を形成してある。
なお、この蓋部(22)の上記取出用収容部(７)の上方には乾燥剤(23)を収容してあり、蓋部(22)の上面にカバー(24)を嵌着して上記乾燥剤(23)を保持してある。ただしこの乾燥剤(23)は容器本体(２)内の底部など他の部分に配置してもよく、また、収納する粒状物の性質によってはこの乾燥剤を省略してもよいことは言うまでもない。
上記取出用収容部(７)には２粒の錠剤(４)を収納可能に構成してある。従ってこの第５参考形態では一回の取出し操作で２粒ずつ錠剤(４)が取出される。
【００４６】
上記参考形態ではいずれも取出口(10)を容器本体(２)の幅方向中央に形成したが、この取出口は図１０に示す第６参考形態のように、容器本体(２)の一方の側面に偏らせて形成してもよい。
ただしこの第６参考形態のように、連通部(８)の一方の内面(9a)が平滑に形成されていると、この平滑な内面(9a)を下側にして取出し操作した場合に粒状物が取出口(10)から連続して取り出され易く、所定量のみ取出すことが困難となる場合がある。
【００４７】
図１１及び図１２は本発明１に対応する第１実施形態を示し、図１１は粒状物収納容器の一部破断斜視図、図１２は開閉蓋の開口姿勢時の断面図である。
上記第１〜第６参考形態ではいずれも取出口を筒状容器本体の前面に形成したが、この第１実施形態では、取出口(10)を容器本体(２)の端部に形成してあり、この取出口(10)からの錠剤(４)の取出し方向へスライド移動可能な開閉蓋(11)を上記容器本体(２)に装着してある。即ち、容器本体(２)の前後面に係合突起(33)を形成し、この係合突起(33)に長穴(35)を係合させてコ字形の開閉蓋(11)をスライド移動可能に装着してある。なお、符号(34)は開閉蓋を開いたときに係止するための突起を示す。
【００４８】
上記開閉蓋(11)内面には上記取出口(10)と対向する位置に栓部(31)を設けてあり、この開閉蓋(11)を図１１に示す封止姿勢(Ａ)へスライド移動させることにより上記栓部(31)で上記取出口(10)が密封され、開閉蓋(11)を図１１の仮想線に示す開口姿勢(Ｂ)へスライド移動させることにより取出口(10)が開口される。
【００４９】
上記開閉蓋(11)の図１１における上下の側部には、それぞれ粒状物取出窓(32)を全体に形成してあり、この開閉蓋(11)をスライド移動させると図１２に示すような開口姿勢(Ｂ)となる。この状態で開口した取出口(10)を下方に位置させると、取出用収容部(７)に収容されていた錠剤(４)が直進して栓部(31)で一旦受け止められたのち、下方に位置する粒状物取出窓(32)から簡単に取り出される。
【００５０】
図１３は本発明１に対応する第２実施形態を示す、開口姿勢での開閉蓋周辺の一部破断斜視図である。
上記第１実施形態では粒状物取出窓(32)を開閉蓋(11)の側部全体に形成して錠剤(４)を取出し易く構成したが、取出し操作時にこの粒状物取出窓(32)から錠剤(４)を誤って落下させてしまう虞れがある。そこでこの第２実施形態では、取出口(10)の周囲全てにそれぞれ側部を形成してあり、開閉蓋(11)を開口姿勢(Ｂ)へスライド移動させて取出口(10)から取り出した錠剤(４)を上記開閉蓋(11)の内面で一旦受け止めるように構成してある。
上記開閉蓋(11)には、図１３における前面に錠剤(４)よりもやや大きい粒状物取出窓(32)を形成してあり、上記開閉蓋(11)の内面で受け止められた錠剤(４)は図１３に示すように、この粒状物取出窓(32)から安全に取出される。
【００５１】
図１４は上記第２実施形態の変形例を示す、開閉蓋を容器本体から取り外した状態の斜視図である。
この変形例では、図１４における開閉蓋(11)上端の栓部(31)の両側に粒状物取出窓(32)をそれぞれ形成してあり、容器本体(２)上端の取出口(10)から取出された錠剤(４)は、いずれかの粒状物取出窓(32)から安全に取出される。
なおこの変形例では、開閉蓋(11)内面に案内溝(37)を形成して、容器本体(２)に設けた係合突起(33)を開閉蓋(11)の長穴(35)内へ案内し易く構成してある。
【００５２】
上記各実施形態では収容空間の断面形状が略正方形や円形の場合について説明したが、本発明１の収容空間は粒状物を一列に整列収容できる形状であればよく、収容する粒状物の形状に応じて他の断面形状にすることができる。
【００５３】
図１５及び図１６は本発明２に対応する第３実施形態を示し、図１５は粒状物収納容器の斜視図、図１６は錠剤の取出し操作を示す開閉蓋周辺の断面図であり、図１６(ａ)は封止姿勢での断面図、図１６(ｂ)は開口姿勢での断面図、図１６(ｃ)は開口姿勢から封止姿勢に戻した状態の断面図である。
【００５４】
この第３実施形態の粒状物収納容器(１)は、上記第２実施形態と同様の容器本体(２)に錠剤(４)を整列収容してあり、図１５における容器本体(２)上端に取出口(10)を形成してこの取出口(10)の周囲に、上下方向へスライド移動可能な開閉蓋(11)を装着してある。
上記開閉蓋(11)内面の上記取出口(10)と対向する位置、すなわち上壁の下面には栓部(31)を設けてあり、この栓部(31)の横側方に粒状物取出窓(32)を形成してある。そして図１５に示すように、この粒状物取出窓(32)の上記栓部(31)とは反対側の周縁に２本のスリットを入れて両スリット間を弾性変形可能な押圧部(36)に構成してある。
【００５５】
次に、上記粒状物収納容器(１)から錠剤(４)を一個ずつ取出す操作について説明する。
この粒状物収納容器(１)保管状態では、図１６(ａ)に示すように開閉蓋(11)は封止姿勢(Ａ)にされており、栓部(31)で取出口(10)が確りと密封されている。そして容器本体(２)の収容空間(３)内に整列収容された錠剤(４)のうち１個のみが所定の姿勢、即ち図１６における水平方向の姿勢で取出用収容部(７)に入り込んでいる。
【００５６】
次に、上記開閉蓋(11)を水平方向にスライド移動させると、図１６(ｂ)に示す開口姿勢(Ｂ)となる。ここで、取出口(10)をやや下方に位置させると上記取出用収容部(７)内の錠剤(４)が取出口(10)から取出されて上記栓部(31)に一旦受け止められたのち、この開閉蓋(11)内で上記栓部(31)と開閉蓋(11)の内面との間に収容される。
このとき、容器本体(２)内の錠剤(４)が取出口(10)から引き続いて出てくる場合があるが、図１６(ｂ)の仮想線で示すように、この引続き出てきた余分の錠剤(4a)は栓部(31)に受け止められ、この栓部(31)から延設したガイド部(38)と上記所定位置に収容された錠剤(４)との間に保持される。
【００５７】
そして、この開口姿勢(Ｂ)から再び封止姿勢(Ａ)に戻すと、上記所定位置の錠剤(４)は取出口(10)の周縁部に押圧されて、この周縁部と対向する位置に形成された粒状物取出窓(32)から排出される。
このとき、上記粒状物取出窓(32)の周縁に弾性変形可能な押圧部(36)を設けてあるので、上記粒状物取出窓(32)から排出される錠剤(４)はこの押圧部(36)で挟持されており、粒状物取出窓(32)から錠剤(４)を誤って落下させるようなことがない。
【００５８】
一方、上記取出口(10)から取出された余分の錠剤(4a)は、開閉蓋(11)を封止姿勢(Ａ)へ移動させることにより、栓部(31)に押圧されて取出用収容部(７)へ戻され、また、取出口(10)は栓部(31)により確りと密封される。
そして、上記開閉蓋(11)を開口姿勢(Ｂ)と封止姿勢(Ａ)とに切り替える操作を繰り返すことにより、錠剤を確実に１錠ずつ取出すことができる。
【００５９】
上記第３実施形態では上記実施形態８と同様の筒状の容器本体を用いたが、本発明２の容器本体は粒状物を収納する収容空間を有するものであればよく、筒状のものに限定されない。
例えば図１７に示す変形例では、直方体状の容器本体(２)に開閉蓋(11)を装着して粒状物収納容器(１)を構成したものであり、この開閉蓋(11)をスライド移動させることにより上記実施形態９と同様に粒状物取出窓(32)から一個ずつ粒状物が取出される。
【００６０】
なお、上記実施形態ではいずれも錠剤を収容する場合について説明したが、本発明の粒状物収納容器で収容できる粒状物は錠剤に限らず、カプセルや、菓子類など医薬品以外の粒状物にも適用できることはいうまでもない。
【００６１】
【発明の効果】
本発明は上記のように構成され作用することから、次の効果を奏する。
【００６２】
(イ) 本発明１では、粒状物を一列に整列収容できる収容空間の少なくとも一端に取出用収容部を連通形成し、この取出用収容部に取出口を形成しただけの簡単な構成であり、安価に実施することができる。
【００６３】
(ロ) 開閉蓋をスライド移動させるだけの簡単な操作で取出口を開閉でき、開閉蓋を閉じることにより栓部で確実に密封することができる。そして取出口を開口して、例えば取出用収容部を下方に位置させたのち容器側面を軽く叩く等の、極めて簡単な操作で粒状物を取出すことができ、しかも、一回の取出し操作で所定数量のみの粒状物を確実に取出すことができるので、服用時など取出し時の個数管理を容易に行うことができる。
【００６４】
(ハ) 取出し操作時には粒状物を栓部で一旦受け止めるので、粒状物の過剰な飛出しを防止することができる。しかも、取出口から取り出された粒状物は取出し操作時に開閉蓋の内面で一旦受け止められるので、取出し操作時に粒状物を上記粒状物取出窓から誤って落下させてしまう虞れがなく、安全に取出すことができる。
【００６５】
(ニ) 上記収容空間と取出用収容部とを連通する連通部に、収容空間側に広がる傾斜状の内面を形成した場合には、粒状物の形状や表面の特性にかかわらず、例えば角張った粒状物や表面の粗い粒状物であっても、取出し操作により所定量の粒状物を取出用収容部へ円滑に案内して収容することができ、一回の取出し操作で所定数量のみの粒状物をより確実に取出すことができる。
【００６６】
(ホ) 本発明２では、開閉蓋を開口姿勢にしたのち封止姿勢に戻すことにより、粒状物を確実に取り出すことができる。この粒状物が取り出されたときには開閉蓋が封止姿勢にあり、容器本体の取出口は開閉蓋の栓部で密封されているため、必要以上の数量の粒状物が誤って取り出される虞れがない。しかも取り出された粒状物は、粒状物取出窓の周縁に設けた押圧部で挟持されており、不用意に落下させる虞れがなく、安全に取出すことができる。
【００６７】
(ヘ) 本発明１または本発明２において、上記筒状の容器本体を複数個並列状態に配置して、各容器本体同士をそれぞれ分離可能に連結した場合には、所定量を単位とした多量の粒状物を比較的コンパクトに纏めて取り扱うことができ、例えば１０個入り容器本体を１０個連結しておくと１００個の粒状物を一括して取り扱うことができるので、保管などの取り扱いを容易にすることができる。
また、必要個数の容器本体を一纏めにして分離することにより所定量を単位として、例えば粒状物を１０個収容できる容器本体の場合には１０個を単位として多量の粒状物を容易に計数管理することができる。
【図面の簡単な説明】
【図１】  本発明１に対応する第１参考形態を示す、取出し操作時の粒状物収納容器の一部破断斜視図である。
【図２】  第１参考形態の変形例を示す、取出用収容部近傍の断面図である。
【図３】  本発明１に対応する第２参考形態を示す、１０本の粒状物収納容器を互いに連結した状態の斜視図である。
【図４】  第２参考形態の、粒状物収納容器の縦断側面図である。
【図５】  図４のＡ−Ａ線矢視断面図である。
【図６】  本発明１に対応する第３参考形態を示す、粒状物収納容器の取出口近傍の縦断側面図である。
【図７】  本発明１に対応する第４参考形態を示す、粒状物収納容器の上部の一部破断斜視図である。
【図８】  第４参考形態の、粒状物収納容器の取出口近傍の縦断側面図である。
【図９】  本発明１に対応する第５参考形態を示す、図２相当図である。
【図１０】  本発明１に対応する第６参考形態を示す、図２相当図である。
【図１１】  本発明１に対応する第１実施形態を示す、粒状物収納容器の一部破断斜視図である。
【図１２】  第１実施形態の開閉蓋の開口姿勢時の断面図である。
【図１３】  本発明１に対応する第２実施形態を示す、開口姿勢での開閉蓋周辺の一部破断斜視図である。
【図１４】  第２実施形態の変形例を示す、開閉蓋を容器本体から取り外した状態の斜視図である。
【図１５】  本発明２に対応する第３実施形態を示す、粒状物収納容器の斜視図である。
【図１６】  第３実施形態の錠剤の取出し操作を示す開閉蓋周辺の断面図であり、図１６(ａ)は封止姿勢での断面図、図１６(ｂ)は開口姿勢での断面図、図１６(ｃ)は開口姿勢から封止姿勢に戻した状態の断面図である。
【図１７】  第３実施形態の変形例を示す、粒状物収納容器の斜視図である。
【図１８】  従来技術を示す、粒状物収納容器の縦断面図である。
【符号の説明】
１…粒状物収納容器、
２…容器本体、
３…収容空間、
４…粒状物(錠剤)、
５…粒状物の第１寸法(直径)、
６…粒状物の第２寸法(厚さ)、
７…取出用収容部、
８…連通部、
９…傾斜状の内面、
10…取出口、
11…開閉蓋、
25…飛出し防止部材、
31…栓部、
32…粒状物取出窓、
36…押圧部。
【図１】
0003989090.tif 000002
【図２】
0003989090.tif 000003
【図３】
0003989090.tif 000004
【図４】
0003989090.tif 000005
【図５】
0003989090.tif 000006
【図６】
0003989090.tif 000007
【図７】
0003989090.tif 000008
【図８】
0003989090.tif 000009
【図９】
0003989090.tif 000010
【図１０】
0003989090.tif 000011
【図１１】
0003989090.tif 000012
【図１２】
0003989090.tif 000013
【図１３】
0003989090.tif 000014
【図１４】
0003989090.tif 000015
【図１５】
0003989090.tif 000016
【図１６】
0003989090.tif 000017
【図１７】
0003989090.tif 000018
【図１８】
0003989090.tif 000019